(57)【要約】【課題】  水没時にウインドウガラスの誤作動を発生し難くすることができるパワーウインドウ装置を提供する。【解決手段】  スイッチ回路７ａは、第１トランジスタ１３及び第２トランジスタ１４を備えている。水没時に出力端子１６，１８が浸水すると、出力端子１６，１８にＧＮＤリークが発生し、出力端子１６，１８の各々にリーク抵抗ＲLUP ，ＲLDN が生じる。この状態において、スイッチ１１，１２の両方がオフ状態の際には、ＧＮＤリークによって第１及び第２トランジスタ１３，１４がともにオン状態となる。従って、出力端子１６（出力端子１８）は、各プルアップ抵抗２０，２７（プルアップ抵抗１５，２６）を介してプルアップされた状態となる。従って、ＣＰＵ２４は、ＵＰ端子電圧ＶUPによってＵＰ入力端子２４ａでＨレベル信号を入力し、ＤＮ端子電圧ＶDNによってＤＮ入力端子２４ｂでＨレベル信号を入力した状態を維持する。【選択図】      図１
2006111132.tif 000002
【特許請求の範囲】
【請求項１】
ウインドウガラス上昇用の上昇スイッチ又は該ウインドウガラス下降用の下降スイッチが操作された際、前記操作に応じた信号レベル状態の組み合わせで、複数の信号出力端子から出力信号を各々出力するスイッチユニットと、前記スイッチユニットに対して別体に設けられ、複数の前記出力信号を内部の制御回路で入力してアクチュエータを駆動することによりウインドウガラスを昇降させる制御ユニットとを備えたパワーウインドウ装置において、
前記スイッチユニットは、浸水により前記スイッチユニットと前記制御ユニットとを繋ぐ配線経路上にリークが生じた際、前記制御回路の各々の信号入力端子がリーク発生前と同じレベル状態の信号を各々入力するように、前記信号入力端子のレベル状態を保持する信号レベル保持手段を備えたことを特徴とするパワーウインドウ装置。
【請求項２】
前記制御ユニットは、前記出力信号に基づきローアクティブ制御で前記アクチュエータを駆動制御し、
前記信号レベル保持手段は、
制御端子が前記下降スイッチ及び下降側の前記信号出力端子に接続され、入力端子が電源に接続され、出力端子が前記上昇スイッチ及び上昇側の前記信号出力端子に接続された第１スイッチング素子と、
制御端子が前記上昇スイッチ及び上昇側の前記信号出力端子に接続され、入力端子が電源に接続され、出力端子が前記下降スイッチ及び下降側の前記信号出力端子に接続された第２スイッチング素子とを備え、
前記第１スイッチング素子及び第２スイッチング素子の前記出力端子には、プルアップ抵抗が各々直列接続されていることを特徴とする請求項１に記載のパワーウインドウ装置。
【請求項３】
前記制御ユニットは、前記出力信号に基づきハイアクティブ制御で前記アクチュエータを駆動制御し、
前記信号レベル保持手段は、
制御端子が前記下降スイッチ及び下降側の前記信号出力端子に接続され、入力端子が前記上昇スイッチ及び上昇側の前記信号出力端子に接続され、出力端子が接地された第１スイッチング素子と、
制御端子が前記上昇スイッチ及び上昇側の前記信号出力端子に接続され、入力端子が前記下降スイッチ及び下降側の前記信号出力端子に接続され、出力端子が接地された第２スイッチング素子とを備え、
前記第１スイッチング素子及び第２スイッチング素子の前記入力端子には、プルダウン抵抗が各々直列接続されていることを特徴とする請求項１に記載のパワーウインドウ装置。
【請求項４】
前記スイッチユニットが前記プルアップ抵抗を備える場合、該プルアップ抵抗は前記制御ユニットのプルアップ抵抗よりも抵抗値が低く設定され、前記スイッチユニットが前記プルダウン抵抗を備える場合、該プルダウン抵抗は前記制御ユニットのプルダウン抵抗よりも抵抗値が低く設定されていることを特徴とする請求項２又は３に記載のパワーウインドウ装置。
【請求項５】
前記スイッチユニットの前記プルアップ抵抗又は前記プルダウン抵抗は、浸水時に発生するリーク抵抗に対して抵抗値が同等又はそれよりも低い値に設定されていることを特徴とする請求項２〜４のうちいずれか一項に記載のパワーウインドウ装置。
【発明の詳細な説明】
【技術分野】
【０００１】
本発明は、スイッチ操作によりウインドウガラスを自動で昇降させるパワーウインドウ装置に関する。
【背景技術】
【０００２】
従来から、車両の利便性向上を目的として、スイッチ操作によりＤＣモータ等を駆動し、ウインドウガラスを自動で昇降させるパワーウインドウ装置が車両に搭載されている。パワーウインドウ装置においては、操作スイッチが上昇操作又は下降操作されると、モータ電子制御ユニット（即ち、モータＥＣＵ）が駆動回路を介してモータを正転又は逆転させることによりウインドウガラスを上昇又は下降させる。また、モータＥＣＵ等を実装した基板は、車両水没時に浸水しないように例えば特許文献１に示す防水構造をとっている。
【特許文献１】特開２００２−１３９６４号（第３−６頁、第１図）
【発明の開示】
【発明が解決しようとする課題】
【０００３】
しかし、特許文献１は各種スイッチ回路とモータＥＣＵ（駆動回路を含む）とが一体の部品となった構造であるが、例えばスイッチ回路とモータＥＣＵとが別体となった構造のものも考えられ、この場合にはスイッチ回路とモータＥＣＵとを配線で接続する必要が生じる。この場合、事故等の何らかの原因で車両、つまりパワーウインドウ装置が水没すると、スイッチ回路と配線との接続部分、又はモータＥＣＵと配線との接続部分が浸水する可能性がある。このような状況下に陥ると、その接続部分がＧＮＤにリークされることになり、スイッチ回路の出力信号をモータＥＣＵが誤認識してしまう問題があった。
【０００４】
ここで、モータＥＣＵがローアクティブ制御でモータを駆動制御するパワーウインドウ装置で具体的に説明する。この装置では、上昇スイッチ及び下降スイッチの両者からＨレベルの出力信号を入力した状態から、例えば上昇スイッチの操作により上昇スイッチからＬレベルの出力信号を入力した状態になると、モータＥＣＵはウインドウガラスの上昇制御を行う。この装置において、水没によりスイッチ回路とモータＥＣＵとの配線部分にＧＮＤリークが生じると、ウインドウガラスが誤作動するおそれがあった。
【０００５】
本発明の目的は、水没時にウインドウガラスの誤作動を発生し難くすることができるパワーウインドウ装置を提供することにある。
【課題を解決するための手段】
【０００６】
上記問題点を解決するために、請求項１に記載の発明では、ウインドウガラス上昇用の上昇スイッチ又は該ウインドウガラス下降用の下降スイッチが操作された際、前記操作に応じた信号レベル状態の組み合わせで、複数の信号出力端子から出力信号を各々出力するスイッチユニットと、前記スイッチユニットに対して別体に設けられ、複数の前記出力信号を内部の制御回路で入力してアクチュエータを駆動することによりウインドウガラスを昇降させる制御ユニットとを備えたパワーウインドウ装置において、前記スイッチユニットは、浸水により前記スイッチユニットと前記制御ユニットとを繋ぐ配線経路上にリークが生じた際、前記制御回路の各々の信号入力端子がリーク発生前と同じレベル状態の信号を各々入力するように、前記信号入力端子のレベル状態を保持する信号レベル保持手段を備えたことを要旨とする。
【０００７】
この発明によれば、スイッチユニットと制御ユニットとが別体の構造の場合には両者を配線で接続する必要があるが、パワーウインドウ装置、つまりスイッチユニットが浸水すると、配線の接続部分が水に浸る状況下に陥ることも考えられる。このとき、スイッチユニットと制御ユニットとを繋ぐ配線経路上にリーク（ＧＮＤリーク又は電源リーク）が生じ、制御回路がスイッチユニットから誤った出力信号を入力することも否定できず、パワーウインドウ装置が誤作動する可能性がある。
【０００８】
しかしながら、浸水によりスイッチユニットと制御ユニットとを繋ぐ配線経路上にリークが生じても、制御回路の各々の信号入力端子がリーク発生前と同じレベル状態の信号を入力するように、信号レベル保持手段は信号入力端子のレベル状態を保持する。従って、浸水時にリークが発生しても、制御回路の各信号入力端子は、スイッチの操作／非操作に拘らず、リーク発生前と同レベルの信号を入力する状態となる。よって、浸水によりリークが発生しても、制御回路は誤った信号を入力せずに済み、浸水時（水没時）にウインドウガラスの誤作動を発生し難くすることが可能となる。
【０００９】
請求項２に記載の発明では、請求項１に記載の発明において、前記制御ユニットは、前記出力信号に基づきローアクティブ制御で前記アクチュエータを駆動制御し、前記信号レベル保持手段は、制御端子が前記下降スイッチ及び下降側の前記信号出力端子に接続され、入力端子が電源に接続され、出力端子が前記上昇スイッチ及び上昇側の前記信号出力端子に接続された第１スイッチング素子と、制御端子が前記上昇スイッチ及び上昇側の前記信号出力端子に接続され、入力端子が電源に接続され、出力端子が前記下降スイッチ及び下降側の前記信号出力端子に接続された第２スイッチング素子とを備え、前記第１スイッチング素子及び第２スイッチング素子の前記出力端子には、プルアップ抵抗が各々直列接続されていることを要旨とする。
【００１０】
この発明によれば、請求項１に記載の発明の作用に加え、スイッチユニットはプルアップ抵抗を備えることになるので、信号出力端子（上昇側及び下降側の各信号出力端子）からＨレベルの出力信号を出力する際に、安定したＨレベル信号を出力することが可能となる。
【００１１】
請求項３に記載の発明では、請求項１に記載の発明において、前記制御ユニットは、前記出力信号に基づきハイアクティブ制御で前記アクチュエータを駆動制御し、前記信号レベル保持手段は、制御端子が前記下降スイッチ及び下降側の前記信号出力端子に接続され、入力端子が前記上昇スイッチ及び上昇側の前記信号出力端子に接続され、出力端子が接地された第１スイッチング素子と、制御端子が前記上昇スイッチ及び上昇側の前記信号出力端子に接続され、入力端子が前記下降スイッチ及び下降側の前記信号出力端子に接続され、出力端子が接地された第２スイッチング素子とを備え、前記第１スイッチング素子及び第２スイッチング素子の前記入力端子には、プルダウン抵抗が各々直列接続されていることを要旨とする。
【００１２】
この発明によれば、請求項１に記載の発明の作用に加え、スイッチユニットはプルダウン抵抗を備えることになるので、信号出力端子（上昇側及び下降側の各信号出力端子）からＬレベルの出力信号を出力する際に、安定したＬレベル信号を出力することが可能となる。
【００１３】
請求項４に記載の発明では、請求項２又は３に記載の発明において、前記スイッチユニットが前記プルアップ抵抗を備える場合、該プルアップ抵抗は前記制御ユニットのプルアップ抵抗よりも抵抗値が低く設定され、前記スイッチユニットが前記プルダウン抵抗を備える場合、該プルダウン抵抗は前記制御ユニットのプルダウン抵抗よりも抵抗値が低く設定されていることを要旨とする。
【００１４】
この発明によれば、請求項２又は３に記載の発明の作用に加え、例えば制御ユニットがローアクティブ制御でアクチュエータを駆動する場合、パワーウインドウ装置が水没してＧＮＤリークが生じると、両スイッチが非操作状態の際には、信号レベル保持手段によって制御回路の信号入力端子がＨレベル状態に保持される。このとき、Ｈレベル信号の電圧値はスイッチユニット及び制御ユニットの各プルアップ抵抗とリーク抵抗の抵抗値によって決まる。そして、このＨレベル信号の電圧値は、これら抵抗の接続関係上、つまり合成抵抗の計算式の関係上、スイッチユニットのプルアップ抵抗の抵抗値が小さくなるに連れて電圧値が高くなる関係がある。従って、上記のようにプルアップ抵抗の抵抗値を設定すれば、制御回路が入力端子で入力する信号レベルはＨレベルの状態に保持され易くなり、信号レベルがＬレベルに落ち込んでしまうような状況になり難い。
【００１５】
一方、例えば制御ユニットがハイアクティブ制御でアクチュエータを駆動制御する場合、パワーウインドウ装置が水没して電源リークが生じると、両スイッチが非操作状態の際には、信号レベル保持手段によって制御回路のＬレベル状態に保持される。このとき、Ｌレベル信号の電圧値はスイッチユニット及び制御ユニットの各プルダウン抵抗とリーク抵抗の抵抗値によって決まる。そして、このＬレベル信号の電圧値は、これら抵抗の接続関係上、つまり合成抵抗の計算式の関係上、スイッチユニットのプルダウン抵抗の抵抗値が小さくなるに連れて電圧値が低くなる関係がある。従って、上記のようにプルダウン抵抗の抵抗値を設定すれば、制御回路が入力端子で入力する信号レベルはＬレベルの状態に保持され易くなり、信号レベルがＨレベルに立ち上がってしまうような状況になり難い。
【００１６】
請求項５に記載の発明では、請求項２〜４のうちいずれか一項に記載の発明において、前記スイッチユニットの前記プルアップ抵抗又はプルダウン抵抗は、浸水時に発生するリーク抵抗に対して抵抗値が同等又はそれよりも低い値に設定されていることを要旨とする。
【００１７】
この発明によれば、請求項２〜４のうちいずれか一項に記載の発明の作用に加え、制御ユニットのプルアップ抵抗は電源から制御回路に流れ込む電流を少量とするために例えば数ＫΩの値のものが使用されるのに対し、パワーウインドウ装置の水没時に発生するリーク抵抗は例えば数百Ωの値で生じる。従って、スイッチユニットのプルアップ抵抗又はプルダウン抵抗は、リーク抵抗に対して同等又はそれよりも低い値に設定されていれば、抵抗値がかなり低い値をとることになる。
【００１８】
ところで、例えば制御ユニットがローアクティブ制御でアクチュエータを駆動制御する場合、制御回路の入力端子で入力するＨレベル信号の電圧値は、スイッチユニットのプルアップ抵抗の抵抗値が小さくなるに連れて電圧値が高くなる関係がある。従って、上記のようにプルアップ抵抗の抵抗値を設定すれば、ＧＮＤリークが生じた際に、制御回路が信号入力端子で入力する信号レベルはＨレベルの状態に一層保持され易くなり、信号入力端子でのＨレベル状態をより確実に保持することが可能となる。
【００１９】
一方、制御ユニットがハイアクティブ制御でアクチュエータを駆動制御する場合、制御回路の入力端子で入力するＬレベル信号の電圧値は、スイッチユニットのプルダウン抵抗の抵抗値が小さくなるに連れて電圧値が低くなる関係がある。従って、上記のようにプルダウン抵抗の抵抗値を設定すれば、電源リークが生じた際に、制御回路が信号入力端子で入力する信号レベルはＬレベルの状態に一層保持され易くなり、信号入力端子でのＬレベル状態をより確実に保持することが可能となる。
【発明の効果】
【００２０】
本発明によれば、水没時にウインドウガラスの誤作動を発生し難くすることができる。
【発明を実施するための最良の形態】
【００２１】
（第１実施形態）
以下、本発明を具体化したパワーウインドウ装置の第１実施形態を図１及び図２に従って説明する。
【００２２】
図１は、パワーウインドウ装置１の電気構成を示す回路図である。パワーウインドウ装置１は、例えば車両（自動車）のサイドドアのウインドウガラス２を、スイッチ操作により駆動モータ３を駆動源に自動で昇降させる装置である。パワーウインドウ装置１は、操作者（運転者や同乗者）によりウインドウガラス昇降時のスイッチ操作がなされるスイッチユニット４と、スイッチユニット４からの信号に基づき駆動モータ３を駆動してウインドウガラス２を昇降させる制御ユニット５とを備えている。スイッチユニット４と制御ユニット５とは別体構造をなしており、配線６によって接続されている。なお、駆動モータ３がアクチュエータに相当する。
【００２３】
図２は、スイッチユニット４の概略構成を示す模式斜視図である。スイッチユニット４はスイッチ操作に応じた出力信号を出力するもので、同ユニット４を動作させる各種素子（ＩＣ、抵抗、コンデンサ等）７を収容するケース８と、同ユニット４の各種素子７を実装した基板９とを備えている。ケース８は、上方が開口した形状をなしており、その開口部８ａがラバーコンタクト１０を介した状態で基板９により蓋をされている。基板９は平板形状をなしており、ケース８に対して着脱可能に係止されている。
【００２４】
ケース８の開口部８ａ側の上壁８ｂとラバーコンタクト１０とには、基板９の裏面に位置する各種素子７がケース８及びラバーコンタクト１０に干渉しないようにスペース孔８ｃ，１０ａが各々形成されている。ラバーコンタクト１０は例えばゴム材からなり、基板９と同面積を有する平板形状をなしている。ラバーコンタクト１０は、ケース８の上壁８ｂと基板９との両者に密着状態となることで、ケース８及び基板９の間から水がケース８内へ浸水しないように防水の役目を担っている。
【００２５】
図１に示すように、スイッチユニット４は、基板９に実装された素子７としてスイッチ回路７ａを備えている。スイッチ回路７ａは、上昇操作時にオンする上昇スイッチ１１と、下降操作時にオンする下降スイッチ１２とを備えている。上昇スイッチ１１及び下降スイッチ１２は例えば手動操作自動復帰接点が用いられ、スイッチ操作時において両者のうちどちらか一方がオンする、つまり両者が同時にオンすることのない構造をとっている。
【００２６】
スイッチ回路７ａは、パワーウインドウ装置１、つまりスイッチユニット４が水没した際の対応策として第１トランジスタ１３及び第２トランジスタ１４を備えている。第１トランジスタ１３及び第２トランジスタとしては、例えばＦＥＴが用いられている。第１トランジスタ１３は、エミッタ端子（入力端子）が電源＋Ｂに接続され、コレクタ端子（出力端子）がプルアップ抵抗１５を介してスイッチユニット４の上昇側出力端子（以下、ＵＰ出力端子と記す）１６と上昇スイッチ１１とに接続されている。第１トランジスタ１３は、そのベース端子（制御端子）が抵抗１７を介してスイッチユニット４の下降側出力端子（以下、ＤＮ出力端子と記す）１８と下降スイッチ１２とに接続されている。また、第１トランジスタ１３のエミッタ−ベース間には抵抗１９が接続されている。
【００２７】
第２トランジスタ１４は、エミッタ端子が電源＋Ｂに接続され、コレクタ端子がプルアップ抵抗２０を介してスイッチユニット４のＤＮ出力端子１８と下降スイッチ１２とに接続され、ベース端子が抵抗２１を介してスイッチユニット４のＵＰ出力端子１６と上昇スイッチ１１とに接続されている。また、第２トランジスタ１４のエミッタ−ベース間には抵抗２２が接続されている。なお、ＵＰ出力端子１６及びＤＮ出力端子１８が信号出力端子に相当する。
【００２８】
プルアップ抵抗１５，２０は、第１トランジスタ１３又は第２トランジスタ１４がオンした際に、ＵＰ出力端子１６又はＤＮ出力端子１８から安定したＨレベル信号を出力するための素子である。抵抗１７，２１は、第１トランジスタ１３又は第２トランジスタ１４に各々流れ込むベース電流の値を調整する素子である。なお、第１トランジスタ１３が第１スイッチング素子（信号レベル保持手段）に相当し、第２トランジスタ１４が第２スイッチング素子（信号レベル保持手段）に相当する。
【００２９】
制御ユニット５は、ウインドウガラス２を昇降させるべく、スイッチユニット４でのスイッチ操作に基づき駆動モータ３を駆動制御するモータＥＣＵ２３を備えている。モータＥＣＵ２３は、モータＥＣＵ２３を統括制御するＣＰＵ２４と、ＣＰＵ２４からの指令に基づき駆動モータ３を駆動する駆動回路２５と、安定したＨレベル信号をＣＰＵ２４に供給する２つのプルアップ抵抗２６，２７とを備えている。制御ユニット５は、モータＥＣＵ２３が駆動モータ３に組み込まれることでユニット化（一部品化）されている。なお、ＣＰＵ２４が制御回路に相当する。
【００３０】
プルアップ抵抗２６は、入力側が電源＋Ｂに接続され、出力側が抵抗２８を介してＣＰＵ２４の上昇側入力端子（以下、ＵＰ入力端子と記す）２４ａに接続されている。一方、プルアップ抵抗２７は、入力側が電源＋Ｂに接続され、出力側が抵抗２９を介してＣＰＵ２４の下降側入力端子（以下、ＤＮ入力端子）２４ｂに接続されている。ＣＰＵ２４は、そのＵＰ入力端子２４ａが抵抗２８及び配線６（上昇側信号入力配線６ａ）を介してスイッチユニット４のＵＰ出力端子１６に接続されている。また、ＣＰＵ２４は、そのＤＮ入力端子２４ｂが抵抗２９及び配線６（下降側信号入力配線６ｂ）を介してスイッチユニット４のＤＮ出力端子１８に接続されている。
【００３１】
ここで、ＣＰＵ２４は、ＵＰ入力端子２４ａとＤＮ入力端子２４ｂとで入力する信号レベルのレベル状態の組み合わせにより、上昇スイッチ１１及び下降スイッチ１２の操作状態を判断し、ウインドウガラス２を昇降させるべく駆動モータ３を駆動制御している。本例において、ＣＰＵ２４はローアクティブ制御で駆動モータ３を駆動制御しており、ＵＰ入力端子２４ａ及びＤＮ入力端子２４ｂの両方でＨレベル状態を認識すると、上昇スイッチ１１及び下降スイッチ１２がともに操作されていないと判断し、駆動モータ３を停止状態としてウインドウガラス２を非昇降状態とする。
【００３２】
また、ＣＰＵ２４は、ＵＰ入力端子２４ａでＬレベル状態を認識し、ＤＮ入力端子２４ｂでＨレベル状態を認識すると、上昇スイッチ１１が操作されたと判断し、駆動モータ３を例えば正転させてウインドウガラス２を上昇させる。同様にＣＰＵ２４は、ＵＰ入力端子２４ａでＨレベル状態を認識し、ＤＮ入力端子２４ｂでＬレベルを認識すると、下降スイッチ１２が操作されたと判断し、駆動モータ３を例えば逆転させてウインドウガラス２を下降させる。
【００３３】
次に、非水没時のパワーウインドウ装置１の動作を説明する。
上昇スイッチ１１及び下降スイッチ１２の両方がオフ状態の際には、ＵＰ出力端子１６及びＤＮ出力端子１８の両者とも、モータＥＣＵ２３からプルアップ抵抗２６，２７を介して電源＋Ｂでプルアップされた状態となる。従って、ＣＰＵ２４は、ＵＰ入力端子２４ａ及びＤＮ入力端子２４ｂの両方でＨレベル信号を入力した状態となり、上昇スイッチ１１及び下降スイッチ１２が両方とも操作されていないと判断し、駆動モータ３を停止状態としてウインドウガラス２を非昇降状態とする。
【００３４】
一方、スイッチ操作がなされた場合、まず上昇スイッチ１１がオン操作されたとすると、ＵＰ出力端子１６がＧＮＤレベルになり、これにより第２トランジスタ１４がオン状態となる。従って、ＤＮ出力端子１８は、スイッチ回路７ａのプルアップ抵抗２０とモータＥＣＵ２３のプルアップ抵抗２７とを介し、電源＋Ｂの電圧値でプルアップされた状態となる。よって、ＣＰＵ２４は、ＵＰ入力端子２４ａでＬレベル信号を入力し、ＤＮ入力端子２４ｂでＨレベル信号を入力した状態となり、上昇スイッチ１１が操作されたと判断して駆動モータ３を正転させ、ウインドウガラス２を上昇させる。
【００３５】
また、下降スイッチ１２がオン操作されたとすると、ＤＮ出力端子１８がＧＮＤレベルになり、これにより第１トランジスタ１３がオン状態となる。従って、ＵＰ出力端子１６は、スイッチ回路７ａのプルアップ抵抗１５とモータＥＣＵ２３のプルアップ抵抗２６とを介し、電源＋Ｂの電圧値でプルアップされた状態となる。よって、ＣＰＵ２４は、ＵＰ入力端子２４ａでＨレベル信号を入力し、ＤＮ入力端子２４ｂでＬレベル信号を入力した状態となり、下降スイッチ１２が操作されたと判断して駆動モータ３を逆転させ、ウインドウガラス２を下降させる。
【００３６】
次に、水没時のパワーウインドウ装置１の動作を説明する。
スイッチ回路７ａ（スイッチユニット７）がラバーコンタクト１０による防水構造をとり、モータＥＣＵ２３が例えば特許文献１の防水構造をとる場合、このように防水対策を生じても、水没時にＵＰ出力端子１６及びＤＮ出力端子１８が浸水することがある。このとき、ＵＰ出力端子１６及びＧＮＤの間と、ＤＮ出力端子１８及びＧＮＤの間とにリーク（ＧＮＤリーク）が発生し、ＵＰ出力端子１６及びＤＮ出力端子１８の各々にリーク抵抗ＲLUP ，ＲLDN が生じた状態となる。
【００３７】
この状態において、上昇スイッチ１１及び下降スイッチ１２の両方がオフ状態の際には、ＵＰ出力端子１６（ＤＮ出力端子１８）−ＧＮＤ間のリーク発生によって、第１トランジスタ１３及び第２トランジスタ１４のエミッタ−ベース間に電圧が各々誘起され、第１トランジスタ１３及び第２トランジスタ１４がともにオン状態となる。従って、ＵＰ出力端子１６は、プルアップ抵抗１５，２６を介し、ＵＰ出力端子１６の端子電圧（以下、ＵＰ端子電圧と記す）ＶUPでプルアップされた状態となる。また、ＤＮ出力端子１８は、プルアップ抵抗２０，２７を介し、ＤＮ出力端子１８の端子電圧（以下、ＤＮ端子電圧と記す）ＶDNでプルアップされた状態となる。
【００３８】
ＣＰＵ２４は、ＵＰ端子電圧ＶUPによってＵＰ入力端子２４ａでＨレベル信号を入力し、ＤＮ端子電圧ＶDNによってＤＮ入力端子２４ｂでＨレベル信号を入力した状態となる。従って、ＣＰＵ２４は、上昇スイッチ１１及び下降スイッチ１２が両方とも操作されていないと判断し、駆動モータ３を停止状態としてウインドウガラス２を非昇降状態とする。よって、パワーウインドウ装置１が水没して出力端子１６，１８にＧＮＤリークが生じても、ＣＰＵ２４はＵＰ入力端子２４ａ及びＤＮ入力端子２４ｂの両方でＨレベル状態が維持され、誤った信号を入力しないことから誤作動せずに済む。
【００３９】
ここで、電源＋Ｂの電圧値をＶin、プルアップ抵抗１５の抵抗値をＲａ、プルアップ抵抗２６の抵抗値をＲｂ、プルアップ抵抗２０の抵抗値をＲｃ、プルアップ抵抗２７の抵抗値をＲｄとすると、ＵＰ端子電圧ＶUP、ＤＮ端子電圧ＶDNは次式(1),(2) によって算出される。なお、次式中の「／／」は並列の合成抵抗を意味する。
【００４０】
ＶUP＝Ｖin×ＲLUP ／｛（Ｒａ／／Ｒｂ）＋ＲLUP ｝  …  (1) 
ＶDN＝Ｖin×ＲDN  ／｛（Ｒｃ／／Ｒｄ）＋ＲLDN ｝  …  (2) 
ところで、ＵＰ端子電圧ＶUP及びＤＮ端子電圧ＶDN）はＶinよりも低い値をとるが、これらの値は、ＣＰＵ２４の動作保証電圧、つまりＣＰＵ２４がＨレベルと認識できる電圧値をとる必要がある。従って、ＵＰ端子電圧ＶUP（ＤＮ端子電圧ＶDN）については、なるべく大きな値をとった方がよい。
【００４１】
ここで、ＵＰ端子電圧ＶUPについて考えると、本例の構造をとる場合、プルアップ抵抗２６は従来からあるもので、新たな素子として付け加えるものはプルアップ抵抗１５であるから、ＵＰ端子電圧ＶUPの設定の際にはプルアップ抵抗１５の抵抗値Ｒａを好適な値に設定することになる。そして、式(1) を見ると、プルアップ抵抗１５とＵＰ端子電圧ＶUPとの間には、プルアップ抵抗１５の抵抗値Ｒａが大きくなるに連れてＵＰ端子電圧ＶUPが小さくなる関係がある。従って、高い電圧値のＵＰ端子電圧ＶUPを確保するには、プルアップ抵抗１５の抵抗値Ｒａをできるだけ小さくする必要がある。但し、抵抗値Ｒａをあまりに低くすると、多量の電流がＣＰＵ２４に流れ込んでしまうことから、これを避けるためにも抵抗値Ｒａにはバランスを持たせる必要がある。
【００４２】
以上のことから、プルアップ抵抗１５の抵抗値Ｒａは、モータＥＣＵ２３のプルアップ抵抗２６の抵抗値Ｒｂよりも充分に低い値、かつリーク抵抗ＲLUP の値よりと同等又はそれより低い値に設定されている。ここで、例えばＣＰＵ２４の動作保証電圧が３Ｖ、電源＋Ｂの電圧値Ｖinが１２Ｖ、プルアップ抵抗２６の抵抗値Ｒｂが１．２ＫΩ、リーク抵抗ＲLUP が１００Ωであるとする。この場合、プルアップ抵抗１５の抵抗値Ｒａを１００Ωとすれば、ＵＰ端子電圧ＶUPは約６．２４Ｖをとり、ＣＰＵ２４の動作保証電圧よりも充分に大きな電圧値をとることから、ＣＰＵ２４は水没時にＨ状態を確実に認識できる状態となる。なお、以上のことはＤＮ端子電圧ＶDNについても同様である。
【００４３】
一方、水没状態でスイッチ操作がなされた場合、まず上昇スイッチ１１がオン操作されたとすると、ＵＰ出力端子１６がＧＮＤレベルになり、これによりリークの有無に関係なく第２トランジスタ１４がオン状態となる。従って、ＤＮ出力端子１８は、プルアップ抵抗２０，２７とを介し、電源＋Ｂの電圧値でプルアップされた状態となる。よって、ＣＰＵ２４は、ＵＰ入力端子２４ａでＬレベル信号を入力し、ＤＮ入力端子２４ｂでＨレベル信号を入力した状態となり、上昇スイッチ１１が操作されたと判断して駆動モータ３を正転させ、ウインドウガラス２を上昇させる。
【００４４】
また、水没状態で下降スイッチ１２がオン操作されたとすると、ＤＮ出力端子１８がＧＮＤレベルになり、これによりリークの有無に関係なく第１トランジスタ１３がオン状態となる。従って、ＵＰ出力端子１６は、プルアップ抵抗１５，２６とを介し、電源＋Ｂの電圧値でプルアップされた状態となる。よって、ＣＰＵ２４は、ＵＰ入力端子２４ａでＨレベルを入力し、ＤＮ入力端子２４ｂでＬレベル信号を入力した状態となり、下降スイッチ１２が操作されたと判断して駆動モータ３を逆転させ、ウインドウガラス２を下降させる。
【００４５】
第１実施形態の構成によれば、以下に記載の効果を得ることができる。
（１）パワーウインドウ装置１が水没してスイッチユニット４の各出力端子１６，１８にＧＮＤリークが発生しても、ＣＰＵ２４の各入力端子２４ａ，２４ｂが浸水前と同じ組み合わせの信号を入力するように、スイッチユニット４に第１及び第２トランジスタ１３，１４を設けた。従って、水没により各出力端子１６，１８にＧＮＤリークが生じても、ＧＮＤリーク発生に起因するＣＰＵ２４の誤信号入力が生じず、ウインドウガラス２の誤作動を発生し難くすることができる。
【００４６】
（２）プルアップ抵抗１５の抵抗値Ｒａは、モータＥＣＵ２３のプルアップ抵抗２６の抵抗値Ｒｂよりも充分に低い値、かつリーク抵抗ＲLUP の値よりと同等又はそれより低い値に設定される。従って、ＧＮＤリーク発生時にＵＰ端子電圧ＶUP（ＤＮ端子電圧ＶDN）が充分に高い値をとることになり、ＣＰＵ２４の各入力端子２４ａ，２４ｂがＨレベル状態と認識し得るに充分な電圧値を確保することができる。
【００４７】
（３）本例のスイッチユニット４の防水対応策は第１及び第２トランジスタ１３，１４を用いて実施しているので、その構造が簡単で済む。また、この種のトランジスタは入手し易いことから、実施もし易い。
【００４８】
（４）スイッチユニット４はラバーコンタクト１０により防水されているので、ケース８内が浸水し難くなり、高い防水効果を確保できる。これとともに、第１及び第２トランジスタ１３，１４を用いた誤信号出力防止構造を採用すれば、より一層高い防止効果を得ることができる。
【００４９】
（第２実施形態）
次に、第２実施形態を図３に従って説明する。本例は、第１実施形態に比較して各素子の接続構造が異なるのみである。従って、第１実施形態と同一部分については同一符号を付して詳しい説明を省略し、異なる部分についてのみ説明する。
【００５０】
図３は、パワーウインドウ装置１の電気構成を示す回路図である。上昇スイッチ１１は、入力側が電源＋Ｂに接続され、出力側が抵抗１７を介して第１トランジスタ１３の制御端子に接続されている。第１トランジスタ１３は、エミッタ端子がＧＮＤに接続され、コレクタ端子がプルダウン抵抗３１を介して上昇スイッチ１１及びＵＰ出力端子１６に接続されている。第１トランジスタ１３は、そのベース端子が抵抗１７を介して下降スイッチ１２及びＤＮ出力端子１８に接続されている。
【００５１】
下降スイッチ１２は、入力側が電源＋Ｂに接続され、出力側が抵抗２１を介して第２トランジスタ１４に接続されている。第２トランジスタ１４は、エミッタ端子がＧＮＤに接続され、コレクタ端子がプルダウン抵抗３２を介して下降スイッチ１２及びＤＮ出力端子１８に接続されている。第２トランジスタ１４は、そのベース端子が抵抗２１を介して上昇スイッチ１１及びＵＰ出力端子１６に接続されている。
【００５２】
制御ユニット５は２つのプルダウン抵抗３３，３４を備え、プルダウン抵抗３３は、入力側が抵抗２８を介してＵＰ入力端子２４ａに接続され、出力側がＧＮＤに接続されている。一方、プルダウン抵抗３４は、入力側が抵抗２９を介してＤＮ入力端子２４ｂに接続され、出力側がＧＮＤに接続されている。
【００５３】
ここで、ＣＰＵ２４は、ＵＰ入力端子２４ａとＤＮ入力端子２４ｂとで入力する信号レベルのレベル状態に基づき、上昇スイッチ１１及び下降スイッチ１２の操作状態を判断して駆動モータ３を駆動制御している。本例において、ＣＰＵ２４は、ハイアクティブで駆動モータ３を駆動制御しており、ＵＰ入力端子２４ａ及びＤＮ入力端子２４ｂの両方でＬレベル状態を認識すると、上昇スイッチ１１及び下降スイッチ１２がともに操作されていないと判断して、駆動モータ３を停止状態としてウインドウガラス２を非昇降状態とする。
【００５４】
また、ＣＰＵ２４は、ＵＰ入力端子２４ａでＨレベル状態を認識し、ＤＮ入力端子２４ｂでＬレベル状態を認識すると、上昇スイッチ１１が操作されたと判断し、駆動モータ３を例えば正転させてウインドウガラス２を昇降させる。同様にＣＰＵ２４は、ＵＰ入力端子２４ａでＬレベル状態を認識し、ＤＮ入力端子２４ｂでＨレベルを認識すると、下降スイッチ１２が操作されたと判断し、駆動モータ３を例えば逆転させてウインドウガラス２を下降させる。
【００５５】
次に、非水没時のパワーウインドウ装置１の動作を説明する。
上昇スイッチ１１及び下降スイッチ１２の両方がオフ状態の際には、ＵＰ出力端子１６及びＤＮ出力端子１８の両者とも、モータＥＣＵ２３からプルダウン抵抗３３，３４を介してＧＮＤレベルにプルダウンされた状態となる。従って、ＣＰＵは、ＵＰ入力端子２４ａ及びＤＮ入力端子２４ｂの両方でＬレベル信号を入力した状態となり、上昇スイッチ１１及び下降スイッチ１２が両方とも操作されていないと判断し、駆動モータ３を停止状態としてウインドウガラス２を非昇降状態とする。
【００５６】
一方、スイッチ操作がなされた場合、まず上昇スイッチ１１がオン操作されたとすると、ＵＰ出力端子１６がＨレベルになり、ＤＮ出力端子１８はＧＮＤレベルの状態を維持する。このとき、第２トランジスタ１４はオン状態となるが、パワーウインドウ装置１の回路には影響を及ぼさない。従って、ＣＰＵ２４は、ＵＰ入力端子２４ａでＨレベル信号を入力し、ＤＮ入力端子２４ｂでＬレベル信号を入力した状態となり、上昇スイッチ１１が操作されたと判断して駆動モータ３を正転させ、ウインドウガラス２を上昇させる。
【００５７】
また、下降スイッチ１２がオン操作されたとすると、ＤＮ出力端子１８がＨレベルになり、一方でＵＰ出力端子１６はＧＮＤレベルの状態を維持する。このとき、第１トランジスタ１３はオン状態となるが、パワーウインドウ装置１の回路には影響を及ぼさない。従って、ＣＰＵ２４は、ＵＰ入力端子２４ａでＬレベル信号を入力し、ＤＮ入力端子２４ｂでＬレベル信号を入力した状態となり、下降スイッチ１２が操作されたと判断して駆動モータ３を逆転させ、ウインドウガラス２を下降させる。
【００５８】
次に、水没時のパワーウインドウ装置１の動作を説明する。
ここで、例えば事故等が原因でパワーウインドウ装置１が水没し、ＵＰ出力端子１６及びＤＮ出力端子１８が浸水したとする。このとき、ＵＰ出力端子１６及び電源＋Ｂ（１２Ｖ）の間と、ＤＮ出力端子１８及び電源＋Ｂ（１２Ｖ）の間とにリーク（電源リーク）が発生し、ＵＰ出力端子１６及びＤＮ出力端子１８の各々にリーク抵抗ＲLUP ，ＲLDN が生じることがある。
【００５９】
この状態において、上昇スイッチ１１及び下降スイッチ１２の両方がオフ状態の際には、電源＋Ｂ−ＵＰ出力端子１６（ＤＮ出力端子１８）間のリーク発生によって、第１トランジスタ１３及び第２トランジスタ１４がともにオン状態となる。従って、ＵＰ出力端子１６は、プルダウン抵抗３１，３３を介し、ＧＮＤレベル（実際には、ＵＰ端子電圧ＶUP）にプルダウンされた状態となる。また、ＤＮ出力端子１８も、プルダウン抵抗３２，３４を介し、ＧＮＤレベル（ＤＮ端子電圧ＶDN）にプルダウンされた状態となる。
【００６０】
従って、ＣＰＵ２４は、ＵＰ入力端子２４ａでＬレベル信号を入力し、ＤＮ入力端子２４ｂでＬレベル信号を入力した状態となる。よって、ＣＰＵ２４は、上昇スイッチ１１及び下降スイッチ１２が両方とも操作されていないと判断し、駆動モータ３を停止状態としてウインドウガラス２を非昇降状態とする。このため、パワーウインドウ装置１が水没して出力端子１６，１８に電源リークが生じても、ＣＰＵ２４はＵＰ入力端子２４ａ及びＤＮ入力端子２４ｂの両方でＬレベル状態が維持され、誤った信号を入力しないことから誤作動せずに済む。
【００６１】
ここで、本例におけるＵＰ端子電圧ＶUP、ＤＮ端子電圧ＶDNは、次式(3) ,(4)によって算出される。なお、この場合、プルダウン抵抗３１の抵抗値をＲｅ、プルダウン抵抗３３の抵抗値をＲｆ、プルダウン抵抗３２の抵抗値をＲｇ、プルダウン抵抗３４の抵抗値をＲｈとする。
【００６２】
ＶUP＝Ｖin×（Ｒｅ／／Ｒｆ）／｛（Ｒｅ／／Ｒｆ）＋ＲLUP ｝  …  (3) 
ＶDN＝Ｖin×（Ｒｇ／／Ｒｈ）／｛（Ｒｇ／／Ｒｈ）＋ＲLDN ｝  …  (4) 
ところで、Ｌレベル状態とは言っても、ＵＰ端子電圧ＶUP及びＤＮ端子電圧ＶDNは完全に「０」ボルト（即ち、ＧＮＤレベル状態）ではなく、若干の電圧が生じた状態となる。しかし、スイッチ１１，１２が操作されていない状態では、ＵＰ端子電圧ＶUP及びＤＮ端子電圧ＶDNは、ＣＰＵ２４がＬレベルと認識できる電圧値をとる必要があるので、できる限り小さな値をとった方がよい。
【００６３】
ここで、ＵＰ端子電圧ＶUPについて考えると、本例において新たに付け加える素子はプルダウン抵抗３１であるため、ＵＰ端子電圧ＶUPの設定の際には、プルダウン抵抗３１の抵抗値Ｒｅを好適な値に設定する。ここで、式(3) を見ると、プルダウン抵抗３３の抵抗値Ｒｆはリーク抵抗ＲLUP よりも大幅に大きい値をとるため、プルダウン抵抗３１とＵＰ端子電圧ＶUPとの間には、プルダウン抵抗３１の抵抗値Ｒｅが大きくなるに連れてＵＰ端子電圧ＶUPが大きくなる関係が生じる。従って、低い電圧値のＵＰ端子電圧ＶUPを確保するには、プルダウン抵抗３１の抵抗値Ｒｅをできるだけ小さくする必要がある。但し、抵抗値Ｒｅをあまりに低くすると、多量の電流がＣＰＵ２４に流れ込んでしまうことから、これを避けるためにも抵抗値Ｒａにはバランスを持たせる必要がある。
【００６４】
以上のことから、プルダウン抵抗３１の抵抗値Ｒｅは、モータＥＣＵ２３のプルダウン抵抗３３の抵抗値Ｒｆよりも充分に低い値、かつリーク抵抗ＲLUP の値よりと同等又はそれより低い値に設定されている。ここで、例えば電源＋Ｂの電圧値Ｖinが１２Ｖ、プルダウン抵抗３３の抵抗値Ｒｆが１．２ＫΩ、リーク抵抗ＲLUP が１００Ωであるとする。この場合、プルダウン抵抗３１の抵抗値Ｒｅを１０Ωとすれば、ＵＰ端子電圧ＶUPは約１．０８Ｖという非常に低い電圧値をとることから、ＣＰＵ２４は水没時にＬ状態を確実に認識できる状態となる。なお、以上のことはＤＮ端子電圧ＶDNについても同様である。
【００６５】
一方で、水没状態でスイッチ操作がなされた場合、まず上昇スイッチ１１がオン操作されたとすると、ＵＰ出力端子１６は電源＋ＢによりＨレベル状態になり、ＤＮ出力端子１８は、プルダウン抵抗３１，３３を介してＧＮＤレベルにプルダウンされた状態となり、Ｌレベル状態となる。従って、ＣＰＵ２４は、ＵＰ入力端子２４ａでＨレベル信号を入力し、ＤＮ入力端子２４ｂでＬレベル信号を入力した状態となり、上昇スイッチ１１が操作されたと判断して駆動モータ３を正転させ、ウインドウガラス２を上昇させる。
【００６６】
また、水没状態で下降スイッチ１２がオン操作されたとすると、ＤＮ出力端子１８は電源＋ＢによりＨレベル状態になり、ＵＰ出力端子１６は、プルダウン抵抗３２，３４を介してＧＮＤレベルにプルダウンされた状態となり、Ｌレベル状態となる。従って、ＣＰＵ２４は、ＵＰ入力端子２４ａでＬレベルを入力し、ＤＮ入力端子２４ｂでＨレベル信号を入力した状態となり、下降スイッチ１２が操作されたと判断して駆動モータ３を逆転させ、ウインドウガラス２を下降させる。
【００６７】
第２実施形態の構成によれば、第１実施形態の（１）〜（４）に記載の効果に加え、以下に記載の効果を得ることができる。
（５）制御ユニット５がハイアクティブ制御で駆動モータ３を駆動制御するパワーウインドウ装置１においても、リーク発生に起因するＣＰＵ２４の誤信号入力が生じず、ウインドウガラス２の誤作動を発生し難くすることができる。
【００６８】
（６）スイッチユニット４はプルダウン抵抗３１，３２を備えているので、安定したＬレベル信号を制御ユニット５に出力することができる。なお、これは第１実施形態についても言えることである。
【００６９】
なお、上記実施形態は前記構成に限らず、以下の態様に変更してもよい。
・  第１及び第２実施形態において、上昇スイッチ１１及び下降スイッチ１２の各スイッチは、高速上昇、低速上昇、高速下降及び低速下降の各種スイッチを設けることによって昇降速度が可変可能なスイッチとしてもよい。
【００７０】
・  第１及び第２実施形態において、本例はスイッチユニット４のＵＰ出力端子１６及びＤＮ出力端子１８にＧＮＤリークが発生した場合について述べたが、制御ユニット５の入力端子にＧＮＤリークが生じた場合についても、同様にＣＰＵ２４の信号誤入力が防止可能である。
【００７１】
・  第１及び第２実施形態において、プルアップ抵抗１５，２０，２６，２７、プルダウン抵抗３１〜３４、抵抗１７，１９，２１，２２，２８，２９の各抵抗値は適宜設定変更してもよい。また、スイッチ回路７ａとモータＥＣＵ２３とは、電源が同一値（即ち、電源＋Ｂ）であることに限らず、互いに異なる値であってもよい。
【００７２】
・  第１及び第２実施形態において、第１トランジスタ１３及び第２トランジスタ１４はＦＥＴに限定されず、例えばＭＯＳＦＥＴ等の他のスイッチング素子を採用してもよい。  
【００７３】
・  第１及び第２実施形態において、アクチュエータは駆動モータ３に限らず、例えばシリンダ等でもよい。
・  第１及び第２実施形態において、本例のパワーウインドウ装置１は自動車に採用されることに限らず、自動車以外の車両にも採用してもよい。また、採用先は車両に限らず、例えば住宅等の車両以外にも採用してもよい。
【００７４】
次に、上記実施形態及び別例から把握できる技術的思想について以下に追記する。
（１）請求項１〜５のいずれかにおいて、前記制御ユニットは、複数の前記出力信号に基づきローアクティブで前記アクチュエータを駆動する。
【００７５】
（２）請求項１〜５のいずれかにおいて、前記制御ユニットは、複数の前記出力信号にもとづきハイアクティブで前記アクチュエータを駆動する。
（３）請求項１〜５のいずれかにおいて、前記操作スイッチは、前記ウインドウガラスの上昇時に操作される上昇スイッチと、前記ウインドウガラスの下降時に操作される下降スイッチとからなる構成であって、前記信号レベル保持手段は、前記上昇スイッチ及び前記下降スイッチと各々組をなす第１スイッチング素子及び第２スイッチング素子からなり、前記リーク抵抗が生じると、前記第１スイッチング素子及び前記第２スイッチング素子がオン状態となって前記信号入力端子を水没前のレベル状態に維持し、前記スイッチユニットは、リーク発生時に前記上昇スイッチ又は下降スイッチが操作されると、そのスイッチ接点の変化に基づく前記出力信号を出力する。
【００７６】
（４）請求項１〜５のいずれかにおいて、前記操作スイッチは、前記ウインドウガラスの上昇時に操作される上昇スイッチと、前記ウインドウガラスの下降時に操作される下降スイッチとからなり、前記信号レベル保持手段は、前記上昇スイッチと組をなす第１トランジスタと、前記下降スイッチと組をなす第２トランジスタとからなる構成であって、前記第１トランジスタは、入力端子が電源に、出力端子が前記スイッチユニットの上昇側出力端子及び前記上昇スイッチに、制御端子が前記スイッチユニットの下降用出力端子及び前記下降スイッチに各々接続されるとともに、前記第２トランジスタは、入力端子が電源に、出力端子が前記スイッチユニットの下降側出力端子及び前記下降スイッチに、制御端子が前記スイッチユニットの前記上昇側出力端子及び前記下降スイッチに各々接続されている。
【図面の簡単な説明】
【００７７】
【図１】第１実施形態におけるパワーウインドウ装置の電気構成を示す回路図。
【図２】スイッチユニットの概略構成を示す模式斜視図。
【図３】第２実施形態におけるパワーウインドウ装置の電気構成を示す回路図。
【符号の説明】
【００７８】
１…パワーウインドウ装置、２…ウインドウガラス、３…アクチュエータとしての駆動モータ、４…スイッチユニット、５…制御ユニット、６…配線、１１…上昇スイッチ、１２…下降スイッチ、１３…信号レベル保持手段（第１スイッチング素子）を構成する第１トランジスタ、１４…信号レベル保持手段（第２スイッチング素子）を構成する第２トランジスタ、１５，２０，２６，２７…プルアップ抵抗、１６…信号出力端子を構成するＵＰ出力端子、１８…信号出力端子を構成するＤＮ出力端子、２４…制御回路としてのＣＰＵ、２４ａ，２４ｂ…信号入力端子、３１〜３４…プルダウン抵抗、＋Ｂ…電源、ＲLUP ，ＲLDN …リーク抵抗、Ｒａ，Ｒｃ，Ｒｅ，Ｒｇ…抵抗値。
【図１】
2006111132.tif 000003
【図２】
2006111132.tif 000004
【図３】
2006111132.tif 000005